(57)【要約】      （修正有）【課題】安価な構成でかつフィルタ清掃を容易に行える空気調和機の室内機を提供する。【解決手段】固定部３ａの落とし込み寸法は、フィルタ２０の枠部２２の厚み寸法と略同一とされている。また、フィルタを吸込口７に装着した際は、ネット２１が設けられて平坦面とされている面が室内機本体１の外側に臨むようになるので、ネットが設けられた面の反対面である枠部が凸となっているほうの面は、室内機本体の内側（通風路９側）に臨むようになる。以上により、フィルタを吸込口に装着すれば、ネットと室内機本体の天板３とが略面一となる。【選択図】図１
2014029233.tif 000002
【特許請求の範囲】
【請求項１】
本体筺体の天面に吸込口を有するとともに前記本体筺体の前面下部に吹出口を有し、前記吸込口と前記吹出口とを繋ぐ通風路中に、前記吸込口から前記通風路に室内空気を取り入れるためのファンと、前記室内空気と冷媒との間で熱交換を行う熱交換器と、前記吸込口に装着され前記室内空気に含まれる塵埃を除去するフィルタとを備えた空気調和機の室内機であって、
前記フィルタは、前記室内空気に含まれる塵埃を補集するためのネットと、同ネットが設けられる枠部とで構成され、
前記フィルタは、一方の面を平坦面とし、
前記平坦面が前記本体筐体の外側に臨むように前記フィルタが前記吸込口に装着されるとともに、前記本体筐体の天面と前記フィルタとが面一となることを特徴とする空気調和機の室内機。
【発明の詳細な説明】
【技術分野】
【０００１】
本発明は、空気調和機の室内機に関し、特に、室内機の吸込口へのフィルタの取付構造に関するものである。
【背景技術】
【０００２】
空気調和機の室内機は、筺体天面や筺体前面上部に、筺体内部に室内空気を取り込むための吸込口を設けるとともに、筺体前面下部に、筺体内部に取り込んだ空気を室内へ送出するための吹出口を設けている。また、吸込口と吹出口とを結ぶ通風路中には、吸込口から室内空気を取り込み吹出口から吹き出すためのファンや、吸込口から取り込んだ室内空気と冷媒との間で熱交換を行うための熱交換器が配置されている。そして、吸込口と熱交換器との間には、取り込んだ室内空気に含まれる塵埃を除去するためのフィルタが配置されている（例えば、特許文献１参照）
【先行技術文献】
【特許文献】
【０００３】
【特許文献１】特開２００７−２０５６７６号公報
【発明の概要】
【発明が解決しようとする課題】
【０００４】
上記のような室内機でフィルタ清掃を行う場合は、筺体前面に備えられたパネルを開いてフィルタを抜き出して清掃し、清掃後は筺体前面からフィルタを筺体内部に装着して前面パネルを閉じるという作業が必要となる。一方、上記のような室内機は、室内の天井面に吊り下げ設置されたり、壁面の上方に据え付け設置されるため、室内の比較的高所に設置されることが多い。
【０００５】
従って、フィルタを清掃する際は、上記一連の作業を高所で行うこととなり作業性に問題があった。この問題を解決するために、室内機にフィルタ自動清掃機能を備えたものも種々提案されているが、フィルタ自動清掃機能を備えるために空気調和機が高価になるという問題があった。
【０００６】
本発明は以上述べた問題点を解決するものであって、安価な構成でかつフィルタ清掃を容易に行える空気調和機の室内機を提供することを目的とする。
【課題を解決するための手段】
【０００７】
本発明は上述の課題を解決するものであって、本発明の空気調和機の室内機は、本体筺体の天面に吸込口を有するとともに本体筺体の前面下部に吹出口を有し、吸込口と吹出口とを繋ぐ通風路中に、吸込口から通風路に室内空気を取り入れるためのファンと、室内空気と冷媒との間で熱交換を行う熱交換器と、吸込口に装着され室内空気に含まれる塵埃を除去するフィルタとを備えたものであって、フィルタは、室内空気に含まれる塵埃を捕集するためのネットと、このネットが設けられる枠部とで構成されているものである。そして、フィルタは、一方の面を平坦面とし、この平坦面が本体筐体の外側に臨むようにフィルタが吸込口に装着されるとともに、本体筐体の天面とフィルタとが面一となるものである。
【発明の効果】
【０００８】
本発明の空気調和機の室内機は、室内機本体の筺体天面に設けられた吸込口にフィルタが取り付けられており、フィルタの平坦面と筺体天面とが面一になっている。従って、筺体天面を、例えば雑巾等を使用して清掃する際に、筺体天面の清掃と併せてフィルタ清掃を行うことができるので、フィルタ清掃のためにフィルタを室内機筺体から取り外す等の手間が省けて容易にフィルタ清掃が行える。
【図面の簡単な説明】
【０００９】
【図１】本発明の実施例における、空気調和機の室内機の説明図であり、（Ａ）は室内機の外観斜視図、（Ｂ）は（Ａ）におけるＸ−Ｘ断面図である。
【図２】本発明の実施例における、フィルタの説明図であり、（Ａ）はフィルタの外観図、（Ｂ）は（Ａ）におけるＹ−Ｙ断面図である。
【発明を実施するための形態】
【００１０】
以下、本発明の実施の形態を、添付図面に基づいて詳細に説明する。実施例としては、住居の部屋の壁面に設置される空気調和機の室内機を例に挙げて説明することとする。尚、本発明は以下の実施形態に限定されることはなく、本発明の主旨を逸脱しない範囲で種々変形することが可能である。
【実施例】
【００１１】
図１は、本発明による空気調和機の室内機１００の外観図および要部断面図である。室内機１００は、横長の略直方体形状とされた本体筺体である室内機本体１を有している。図１（Ａ）に示すように、室内機本体１の天面を構成する天板３には、吸込口７が２つ設けられている。また、図１（Ｂ）に示すように、室内機本体１の前面を構成し室内機１００の意匠面となる前面パネル２の下部には、吹出口８が設けられている。
【００１２】
上述した前面パネル２や天板３、および、室内機本体１の右側面を形成する右側板４や室内機本体１の左側面を形成する図示しない左側板は、ＡＳ材やＰＳ材等の樹脂材で形成されている。
【００１３】
図１（Ｂ）に示すように、吸込口７と吹出口８とを繋ぐ通風路９中には、吸込口７から室内空気を吸い込み、吹出口８から吹き出すためのファン１１が設けられており、また、ファン１１の上方には逆Ｖ字型とされ前後方向に寸法Ｌ１とされた熱交換器１０が配置されている。熱交換器１０やファン１１は、室内機本体１の一部を構成し室内機１００を壁面に取り付けるためのベース５に固定されている。尚、ベース５の一部は、背面側の熱交換器１０で生成された凝縮水を受けるドレンパン５ａを兼ねている。
【００１４】
吸込口７は前後方向の寸法がＬ２である略矩形状の孔であり、前述したように天板３の長手方向に並べて２つ設けられている。図１に示すように、吸込口７の周縁部には、断面略Ｌ字形状の固定部３ａが設けられている。固定部３ａは、吸込口７の内側に凸となっており、天板３から固定部３ａの平面部までの深さ寸法（以下、固定部３ａの落とし込み寸法と記載する）は、後述するフィルタ２０の枠部２２の厚み寸法と略同一とされている。また、吸込口７には、所定の幅寸法とされた保持部３ｂが設けられており、図１（Ａ）に示すように、保持部３ｂは、図１（Ａ）における左右方向の略中央部に配置され、その両端は前後の固定部３ａに接続されている。
【００１５】
吹出口８は、ベース５の下部と前面パネル２に取り付けられたケーシング６の下面とで形成されており、吹出口８には、吹出口８から吹き出される空気を上下方向に偏向する上下風向板１２が設けられている。また、上下風向板１２の奥（室内機本体１の内部側）には、吹出口８から吹き出される空気を左右方向に偏向する左右風向板１３が設けられている。尚、ケーシング６の上部は、前面側の熱交換器１０で生成された凝縮水を受けるドレンパン６ａとなっている。
【００１６】
図１（Ａ）および（Ｂ）に示すように、左右各々の吸込口７には、吸込口７から吸い込んだ室内空気に含まれる塵埃を除去するためのフィルタ２０が取り付けられている。フィルタ２０は、図２（Ａ）に示すように、柔軟性を有する樹脂材（例えば、ＰＰ材）で格子状に形成され前述した固定部３ａの落とし込み寸法と略同一寸法、および、吸込口７に対応する外形寸法とされた枠部２２と、樹脂製の糸（例えば、ＰＰ材からなる糸）を織り込んで形成され枠部２２に設けられるネット２１とで構成されている。
【００１７】
ネット２１は、例えば、熱溶着や枠体２２の射出成型時に枠体２２の金型内にネット２１をセットする所謂インサート成型によって、枠部２２に張り付けられ、図２（Ｂ）に示すように、枠体２２の一方の面（図２（Ｂ）における、枠部２２の上面側）にネット２１が配置される。これにより、ネット２１の上面側（室内機本体１の外側）に枠部２２が凸とならないようにしているので、ネット２１が配置された面が凹凸のない平坦面となる。
【００１８】
図２（Ａ）に示すように、枠部２２の左右側部には、所定の間隔で上下方向にフック２３が設けられている。フック２３は、枠部２２と一体で形成され、図２（Ｂ）に示すように、略Ｌ字形状とされ下方（ネット２２が張り付けられた面と反対側）に凸となるように形成されている。
【００１９】
次に、本実施例におけるフィルタ２０を吸込口７に装着する方法およびその効果について説明する。図１に示すように、フィルタ２０は、室内機本体１の天板３に設けられた吸込口７に装着される。具体的には、フィルタ２０は、左右のフック２３を固定部３ａに設けられフック２３の形状に対応した形状とされた図示しない孔に挿入して固定する。図１（Ｂ）に示すように、フィルタ２０を吸込口７に装着すれば、固定部３ａおよび保持部３ｂにフィルタ２０の枠体２２が当接する。このとき、フィルタ２０のネット２１の張り付け面（補集面）は、室内機本体１の外側（室内空間側）に臨むようになる。
【００２０】
前述したように、固定部３ａの落とし込み寸法は、フィルタ２０の枠部２２の厚み寸法と略同一とされている。また、上述したように、フィルタ２０を吸込口７に装着した際は、フィルタ２０の平坦面が室内機本体１の外側に臨むようになるので、図１（Ｂ）に示すように、フィルタ２０の枠部２２が凸となっているほうの面は、室内機本体１の内側（通風路９側）に臨むようになる。以上により、図１に示すように、フィルタ２０を吸込口７に装着すれば、ネット２１と室内機本体１の天板３とが略面一となる。
【００２１】
従って、室内機１００の使用者が、室内機本体１の天板３を雑巾等を用いて拭き取り清掃を行うときに、雑巾等がフィルタ２０に引っ掛かることがなく、スムーズに清掃作業を行うことができる。また、ネット２１の設けられた面が平坦面とされて天板３と略面一となっているので、天板３の清掃作業時にフィルタ２０（のネット２１）の清掃も同時に行うことができる。これにより、フィルタ２０の清掃のためにフィルタ２０を室内機本体１から取り外す、清掃後にフィルタ２０を室内機本体１に装着する、といった手間が省け、フィルタ２０を室内機本体１に装着したままで容易にフィルタ２０の清掃が行える。また、フィルタ２０の自動清掃機能を備える必要もなく、安価な室内機１００とできる。
【００２２】
尚、本発明の室内機１００は、室内機本体１の前面側（前面パネル２）には吸込口を設けずに、室内機本体１の天面（天板３）のみに吸込口７を設けているので、フィルタ２０を天板３と面一となるように吸込口７に装着しても室内機１００の外観を損ねることはない。しかし、吸込口が天板３に備えた吸込口７のみとなるので、室内機本体１内部に吸い込まれる室内空気の量が減少して熱交換器１０における熱交換効率が低下する虞がある。
【００２３】
そこで、吸込口７の前後方向の寸法Ｌ２を熱交換器１０の前後方向の寸法Ｌ１より大きくすれば、吸込口７の開口面積を増やすことができる。また、吸込口７の前端部を熱交換器１０の前端部より前方となるようにするとともに、吸込口７の後端部を熱交換器１０の後端部より後方となるようにすれば、吸込口７から室内機本体１内部に吸い込んだ室内空気が前面側および背面側の熱交換器１０に行き渡るようにすることができ、熱交換器１０における熱交換効率を最大限発揮させることができる。
【００２４】
また、前述したように、フィルタ２０は吸込口７に機械的に装着されており、吸込口７に対し着脱自在であるので、ネット２１の汚れがひどい場合等は、室内機本体１からフィルタ２０を取り外して水洗い等を行うことができる。
【符号の説明】
【００２５】
１  室内機本体
３  天板
３ａ  固定部
３ｂ  保持部
７  吸込口
９  通風路
１１  ファン
２０  フィルタ
２１  ネット
２２  枠部
２３  フック
１００  室内機
【図１】
2014029233.tif 000003
【図２】
2014029233.tif 000004